(57)【特許請求の範囲】
【請求項１】
検出回路と、これと並列接続され、複数の対をなす出力回路及び自己保持回路とを含み、
前記検出回路は、監視対象に電圧変化があった場合にそれを検出し、その検出結果を所定時間だけ前記自己保持回路のそれぞれに出力するように構成され、
前記各自己保持回路は、予め決定された順に従って前記検出結果の入力を順次受けて自己保持状態となり、当該自己保持回路と対をなす前記出力回路に電源を供給し、またリセット信号の入力を受けて自己保持状態を解除して元の状態に復帰するように構成されてなることを特徴とする信号監視回路。
【請求項２】
前記各自己保持回路は、キープリレーを含む請求項１に記載の信号監視回路。
【請求項３】
前記リセット信号は、スイッチ操作によって発生する請求項１又は２に記載の信号監視回路。
【請求項４】
監視すべき電気回路内の接触不良およびリレー動作・接点不良の検出用に使用される請求項１〜３のいずれか１項に記載の信号監視回路。
【請求項５】
監視対象に接続可能な信号入力線と、電源入力線と、これらが引き出される筺体とからなり、当該筺体には、検出回路と、これと並列接続され、複数の対をなす出力回路及び自己保持回路とが内蔵され、
前記検出回路は、前記監視対象に電圧変化があった場合に信号入力線を介してそれを検出し、その検出結果を所定時間だけ前記自己保持回路のそれぞれに出力し、前記各自己保持回路は、予め決定された順に従って前記検出結果の入力を順次受けて自己保持状態となり当該自己保持回路と対をなす前記出力回路に前記電源入力線からの電源を供給し、またリセット信号の入力を受けて自己保持状態を解除して元の状態に復帰するように構成されてなることを特徴とする信号監視装置。
【請求項６】
前記自己保持回路は、キープリレーを含む請求項５に記載の信号監視装置。
【請求項７】
前記筐体から引き出された前記電源入力線は、前記監視対象が含まれる回路とは別の回路であって、監視時に常時電圧が印加されている２つの接続点に接続されてなる請求項５又は６に記載の信号監視装置。
【請求項８】
前記リセット信号は、スイッチ操作によって発生する請求項５〜７のいずれか1項に記載の信号監視装置。
【請求項９】
前記筺体は、複数のユニットを積み重ねて連結可能な重層構造から構成され、少なくとも対をなす前記自己保持回路および前記出力回路は１つのユニット内に収納されてなる請求項５〜８のいずれか1項に記載の信号監視装置。
【請求項１０】
前記リセット信号は、スイッチ操作によって発生する請求項５〜９のいずれか1項に記載の信号監視装置。
【発明の詳細な説明】
【技術分野】
【０００１】
本発明は、電気回路の接点などの監視対象において信号入力の有無および必要な場合にはその回数を監視可能な信号監視回路及び当該回路を内蔵した小型かつ軽量で携帯性に富んだ簡易な信号監視装置に関する。
【背景技術】
【０００２】
各種プラントなどに設置されている自動機器や自動システムなどは、これらに組み込まれた制御回路によって運転される。自動機器などに動作異常が発生した場合、その動作異常が継続して生じていれば、原因の追究が容易であるが、継続して生じていなければ、現地に行ったとしてもどの回路に異常が発生したかを判別することができない。
【０００３】
後者のような場合、通常、オシロスコープなどの計測器を制御回路に接続して電圧などを監視することで不調箇所を探索している。しかし、例えば、オシロスコープを使用する場合、これ自体がかなり大型な重量物であり、設置可能な場所が限定されるとともに、工場内の狭い場所を持ち運ぶのは重労働となる。また、不調箇所によっては、精密機器であるこれらの計測器を屋外に長時間設置しなければならない場合がある。さらに、このような計測器は、別途電源を確保する必要があり、また信号入力チャンネル数が限定されているため、そのチャンネル数の範囲内で測定点数を決定しなければならない。また、チャンネル数を超えて監視する必要がある場合には、別途同様の計測器を用意して設置しなければならない。
【発明の開示】
【発明が解決しようとする課題】
【０００４】
本発明は、上記事情のもと、電気回路において信号入力の有無及び必要な場合にはその回数を容易に特定できる簡単な回路構成の信号監視回路を提供することを目的とする。また、本発明は、上記信号監視回路を内蔵し、小型かつ軽量で、従って持ち運びが容易であり、制御回路などの、信号監視時に常時電圧が印加された２点の接続点から直接電源を確保でき、外部電源が不要な信号監視装置を提供することを目的とする。
【課題を解決するための手段】
【０００５】
本発明者は、上記事情に鑑み鋭意検討を重ねた結果、自己保持回路を用いることで、該電気回路に含まれる監視対象の信号（特に電圧変化）入力の有無を容易に監視でき、それにより継続的に監視すべき電気回路の動作状態を確認できる簡易な信号監視回路および当該回路を用いた信号監視装置が得られることを見出し、本発明を完成させるに至った。
【０００６】
上記目的は、本発明の一局面によれば、検出回路と、これと並列接続され、複数の対をなす出力回路及び自己保持回路とを含み、前記検出回路は、監視対象に電圧変化があった場合にそれを検出し、その検出結果を所定時間だけ前記自己保持回路のそれぞれに出力するように構成され、前記各自己保持回路は、予め決定された入力順に従って前記検出結果の入力を順次受けて自己保持状態となり、当該自己保持回路と対をなす前記出力回路に電源を供給し、またリセット信号の入力を受けて自己保持状態を解除して元の状態に復帰するように構成されてなることを特徴とする信号監視回路によって達成される。
【０００７】
また、上記目的は、本発明の別の局面によれば、監視対象に接続可能な信号入力線と、電源入力線と、これらが引き出される筺体とからなり、当該筺体には、検出回路と、これと並列接続され、複数の対をなす出力回路及び自己保持回路とが内蔵され、前記検出回路は、前記監視対象に電圧変化があった場合に信号入力線を介してそれを検出し、その検出結果を所定時間だけ前記自己保持回路のそれぞれに出力し、前記各自己保持回路は、予め決定された入力順に従って前記検出結果の入力を順次受けて自己保持状態となり、当該自己保持回路と対をなす前記出力回路に前記電源入力線からの電源を供給し、またリセット信号の入力を受けて自己保持状態を解除して元の状態に復帰するように構成されてなることを特徴とする信号監視装置によって達成される。
【発明の効果】
【０００８】
本発明の信号監視回路によれば、電気回路に含まれる監視対象への信号入力（電圧変化）の有無を容易に監視でき、それにより監視すべき電気回路における不調箇所の特定が可能となる。また、簡単な回路構成であるので、その構築、設置場所や設置数が限定されない。
【０００９】
また、本発明の信号監視装置は、上記信号監視回路を内蔵するので、上記と同様、監視すべき電気回路における不調箇所の特定ができるとともに、小型かつ軽量で携帯性に優れる。また、別途電源を用意する必要がなく、設置に当たり複雑な配線を必要としないため、その設置場所や設置数が制限されないので、従来のオシロスコープなどと異なり、信号監視対象数が限定されない。
【発明を実施するための最良の形態】
【００１０】
本発明の信号監視回路は、リレー接点回路またはプログラマブルコントローラに書き込まれたラダー回路などとして構築することができる。前者の場合、予め所定の配線パターンが印刷またはエッチングなどの手段によって形成された所定の基板上に各回路のリレーなどの機器を一体的に組み込んだ形態とすることができ、また例えばレールなどの機器取り付け金具にリレーなどの機器を配列固定し、これらの間を公知の信号線などを用いて結線したものすることもできる。後者の場合、このラダー回路のみをコントローラに書き込ませてもよく、他のラダー回路に組み込むようにしてもよい。このような信号監視回路は、例えば制御盤内などの空きスペースに、また監視対象となる機器に近接して公知の方法で設置できる。
【００１１】
以下、添付図面を参照して本発明の信号監視回路をより詳細に説明する。図１は、本発明の信号監視回路の実施形態の一例を示す回路図である。この図において、本実施形態の回路は、検出回路（Ｃ）、自己保持回路（Ａ）、出力回路（Ｂ）およびリセット回路（Ｄ）とからなり、監視対象に異常な電圧変化があった場合に、出力回路（Ｂ）はランプを点灯させるようになっている。
【００１２】
検出回路（C）は、信号入力線１１、１２、およびこれらの間に並列に接続されたタイマー４および動作リレー（コイル）５から構成される。信号入力線１１、１２には、公知の信号線などが使用されるが、本発明の信号監視回路が基板上に構築される場合には、上記基板パターンの一部を信号入力線とし、または前記基板パターンの一部と信号線とを基板上の所定の位置に設けられたソケットなどを介して接続したものを信号入力線とすることができる。
【００１３】
自己保持回路（Ａ）において、１はキープリレーであり、１Ｓはそのセットコイル、１Ｒはリセットコイルを示している。このキープリレー１は、セットコイル１Ｓに一旦通電すると、その後通電しなくなった場合でも継続して自己保持されるようになっている。この状態で、リセットコイル１Ｒに通電した場合、上記自己保持は解除され、元の状態に復帰する。
【００１４】
出力回路（Ｂ）は、タイマー６およびランプ２１から構成され、これらが自己保持回路（Ａ）におけるキープリレー１の接点出力１ａにそれぞれ直列に接続されており、当該接点１ａが閉じることで、電源入力線１３、１４から電源の供給を受けるようになっている。リセット回路（Ｄ）は、リセット用リレーコイル９およびａ接点押し釦スイッチ１０から構成され、これらが電源入力線１３、１４間に直列に接続されている。
【００１５】
電源入力線１３、１４は、本発明の信号監視回路の設置位置周辺の回路などにおける２つの接続点にそれぞれ接続できる。２つの接続点を有する回路は、その電源が直流または交流のいずれであってもよく、電源電圧も通常制御などに使用される範囲内で特に制限されない。また、監視対象が含まれる回路または監視対象を含まない回路のいずれであってもよい。この電源の種別や電圧に応じて本発明の信号監視回路に使用されるリレーなどの機器を適宜選択して使用できる。このように電源を適宜選択できるので、電源によって監視対象の選定に制限を受けない。なお、この電源入力線１３，１４には、本発明の信号監視回路の保護のために、ヒューズ１３１、１４１を設けている。
【００１６】
次に、図１に示す本発明の信号監視回路の動作を説明する。信号入力線１１および１２の間に電圧変化があり通電すると、検出回路（Ｃ）においてタイマー４とともに動作リレーのコイル５がそれぞれ励磁される。コイル５が励磁されることで、自己保持回路（Ａ）において同リレー５の自己接点（ａ接点）５ａが閉じられ、キープリレー１のセットコイル１Ｓが励磁される。このコイル５が励磁される時間は、タイマー４によって規制されている。すなわち、タイマー４は、信号入力線１１、１２間に通電すると同時に予め設定された時間のカウントを開始し、設定時間が到来すると、信号入力線１１，１２間において動作リレー５に直列に接続された自己のｂ接点４ｂを開き、コイル５は消磁され、キープリレー１への接点出力はされなくなる。コイル５の消滋によってａ接点５ａが開かれる。このａ接点５ａが開いた場合でも、セットコイル１Ｓは自己保持されるのは上記の通りである。
【００１７】
セットコイル１Ｓが励磁されることで、出力回路（Ｂ）において電源入力線１３，１４間に接続された自己保持接点（ａ接点）１ａが閉じられ、ランプ２１が点灯するとともに、タイマー６が通電される。このタイマー６の通電により、自己保持回路（Ａ）において当該タイマー６の接点出力であるｂ接点６ｂが開かれるが、セットコイル１Ｓは自己保持状態のままその接点１ａは継続して閉じた状態が維持される。
【００１８】
上記の状態においてリセット回路（Ｄ）のリセット用押しボタン１０を押すと、リセット用リレーのコイル９が励磁され、自己保持回路（Ａ）のａ接点９ａが閉じられ、これと直列に接続されたリセットコイル１Ｒが励磁される。これによって、キープリレー１の自己保持状態が解除され、当該リレーは元の状態に復帰する。
【００１９】
このように、信号入力線１１および１２の間に電圧変化があり、一旦キープリレー１のセットコイル１Ｓに通電した場合、その後の電圧変化にかかわらず、ランプ２１は点灯した状態で維持される。そして、本発明の回路は、リセット用押しボタン１０を押すことで、はじめてランプが消灯し、再度上記信号入力線１１，１２間に電圧変化があれば、再度それをランプ２１の点灯によって知らせることができるようになる。
【００２０】
図２は、図１に示す回路において、自己保持回路（Ａ）および出力回路（Ｂ）を各３個並列に接続した回路構成図である。以下では、説明の便宜上、自己保持回路（Ａ）および出力回路（Ｂ）をそれぞれ動作順に符号Ａ１，Ａ２，Ａ３および符号Ｂ１，Ｂ２，Ｂ３を用いて示すこととする。なお、図１と同一または共通の部分については、同一の符号を使用している。また、特に検出回路（Ｃ）により監視対象の電圧変化が検出され、自己保持回路（Ａ１）および出力回路（Ｂ１）が動作するのは、図１と同様の構成および動作となるので、以下では重複した説明は省略する。
【００２１】
自己保持回路および出力回路を増設する場合、これらの増設可能回路数は、動作リレー５の接点数に依存する。したがって、さらに自己保持回路および出力回路を増設したい場合には、動作リレー５と並列に別途同様の動作リレーを接続し、新たに接続した動作リレーの接点出力を使用する必要がある。このように動作リレーを追加増設することで、さらに多数の監視対象の監視が可能となる。なお、本実施形態では、リレー５の接点出力点数を仮に３点として上記各回路を増設している。
【００２２】
自己保持回路（Ａ２）には、キープリレー２のセットコイル２Ｓに直列にタイマー６の限時ａ接点６ａが接続され、自己保持回路（Ａ３）にキープリレー３のセットコイル３Ｓに直列にタイマー７の限時ａ接点７ａが接続されている以外は、自己保持回路（Ａ１）と変わるところがない。これらの限時接点６ａ，７ａが接続されていることで、タイマー６および７に通電してから、設定時間経過後にこれらの自己保持回路（Ａ２），（Ａ３）が動作可能な状態とされる。
【００２３】
次に、図２に示す信号監視回路についてその動作を説明する。なお、電源入力線１３および１４は、上記の場合と同様、監視時に電圧が常時印加される監視対象が含まれる回路などにおける接続点２点にそれぞれ接続しておく点は、上記と同様である。
【００２４】
信号入力線１１および１２の間に電圧変化があった場合、検出回路（Ｃ）においてタイマー４とともに動作リレーのコイル５がそれぞれ励磁される。動作リレーのコイル５が励磁されることで、自己保持回路（Ａ１）、（Ａ２）および（Ａ３）において上記動作リレー５の自己接点であるａ接点５ａ−１、５ａ−２および５ａ−３がそれぞれ閉じられる。この状態では、自己保持回路（Ａ２）および（Ａ３）では、キープリレー２，３にそれぞれ直列に接続された限時接点６ａ，７ａがそれぞれ開いた状態にあるため、キープリレー２，３のセットコイル２Ｓ，３Ｓはいずれも励磁されずに、キープリレー１のセットコイル１Ｓのみが励磁される。このコイル５が励磁される時間は、タイマー４によって規制されている点、およびこのａ接点５ａ−１が開いた場合でも、セットコイル１Ｓは自己保持される点は、上記図１に示す実施形態と同様である。
【００２５】
自己保持回路（Ａ１）のセットコイル１Ｓが励磁されると、出力回路（Ｂ１）においてキープリレー１の自己接点（ａ接点）１ａが閉じられ、ランプ２１を点灯させるとともに、タイマー６を動作させる。自己保持回路（Ａ１）では、タイマー６の接点出力であるｂ接点６ｂが瞬時に開かれ、またタイマー６の設定時間後に自己保持回路（Ａ２）のａ接点６ａが閉じられる。このａ接点６ａが接続されていることで、信号入力線１１および１２の間に通電した場合でも、同時に自己保持回路（Ａ１）と自己保持回路（Ａ２）とが同時に動作することはなく、自己保持回路（Ａ２）は自己保持回路（A１）が動作した条件の下、別個に動作するようにされている。
【００２６】
次に、信号入力線１１，１２間に再度電圧変化があった場合、上記と同様、検出回路（Ｃ）においてタイマー４の設定時間だけ動作リレー５に通電し、コイル５が励磁される。コイル５が励磁されることで、３つの自己保持回路においてこれが備える３個の自己接点５ａ−１、５ａ−２および５ａ−３がそれぞれ閉じられる。しかし、自己保持回路（Ａ１）はｂ接点６ｂが開いた状態であるため、キープリレー１のセットコイル１Ｓが励磁されることはなく、自己保持回路（Ａ３）はタイマー７が動作しておらず、その限時接点７ａが閉じていないため、キープリレー３のセットコイル３Ｓも同様に励磁されることはない。したがって、自己保持回路（Ａ２）のキープリレー２のセットコイル２Ｓのみが励磁されることになる。
【００２７】
セットコイル２Ｓが励磁されることで、出力回路（Ｂ２）のａ接点２ａが閉じられ、ランプ２２およびタイマー７がそれぞれ通電によって励磁される。このタイマー７が励磁されることで、自己保持回路（Ａ２）の瞬時ｂ接点７ｂが開かれるとともに、所定の設定時間後に自己保持回路（Ａ３）の限時ａ接点７ａが閉じられる。この限時ａ接点７ａが閉じられることにより、さらに信号入力線１１、１２間に電圧変化があり通電した場合に、今度は自己保持回路Ａ３が動作することになる。なお、この瞬時接点７ｂの作用機能は、上記の接点６ｂと同様であり、瞬時ｂ接点７ｂが開かれたとしても、キープリレー２は自己保持状態が維持されるのは上記の通りである。
【００２８】
さらに信号入力線１１、１２間に電圧変化があった場合、検出回路（Ｃ）においてタイマー４によって所定の時間だけ動作リレー５に通電し、コイル５が励磁される。コイル５が励磁されることで、３つの自己保持回路においてコイル５が備える３個の自己接点５ａ−１、５ａ−２および５ａ−３がそれぞれ閉じられるが、自己保持回路（Ａ１）および自己保持回路（Ａ２）は、上記したように同回路中の瞬時ｂ接点がそれぞれ開いた状態にあるため、キープリレー１，２が動作することはなく、したがって自己保持回路（Ａ３）のみそのセットコイル３Ｓが励磁されることになる。
【００２９】
セットコイル３Ｓが励磁されることで、出力回路（Ｂ３）に設けられたキープリレー３のａ接点３ａが閉じられる。これにより、ランプ２３およびタイマー８に通電し、これらが励磁される。タイマー８の励磁と同時に自己保持回路（Ａ３）の瞬時ｂ接点８ｂが開かれる。
【００３０】
さらに、自己保持回路および出力回路を各１つ増設する場合、上記タイマー８の限時接点８ａを自己保持回路（Ａ１），（Ａ２），（A３）と同様に、セットコイルと直列に接続すればよい。さらに、これらの回路を増設する場合も、出力回路のタイマーの限時ａ接点を増設する自己保持回路のセットリレーと直列に順次接続することができる。
【００３１】
以上説明したように、信号入力線１１，１２の間に不定期に３回電圧変化によって通電した場合、１回ごとの通電に伴い、ランプが１個ずつ順次点灯することになる。よって、作業者が当該回路のランプの点灯状態を確認することで、監視対象に何回電圧変化が発生したか（不調発生回数）を知ることができる。なお、図２では、表示ランプを用いているが、その他の表示器を使用することもできる。
【００３２】
本実施形態では、自己保持回路および出力回路として各３個を併設したが、これらの出力回路のランプがすべて点灯している場合には、手動ａ接点押し釦スイッチを作業者が押すことで、リセット用リレーコイル９が励磁され、各自己保持回路（Ａ１）〜（Ａ３）に設けられたリセット用リレーのａ接点出力９ａ−１，９ａ−２，９ａ−３がそれぞれ閉じられ、これらの接点と直列に接続されたリセットコイル１Ｒ，２Ｒ，３Ｒがそれぞれ励磁される。その結果、自己保持回路（Ａ１）〜（Ａ３）の自己保持状態が解除され、キープリレー１〜３はそれぞれ元の状態に復帰する。
【００３３】
次に、本発明の信号監視装置について説明する。本発明の信号監視装置は、１個の筺体内に図２に示す回路を内蔵し、信号入力線１１，１２および電源入力線１３，１４が当該筺体から外部に引き出されている。信号入力線１１，１２および電源入力線１３、１４の先端には、ワニ口クリップが接続固定され、これを監視対象を含む電気回路および当該電気回路とは別の回路であって監視時に常時電圧が印加された接続点に接続することができる。また、これらの入力線の先端には、各種圧着端子を圧着しておき、これを上記と同様の接続点にねじ留めなどして固定することもできる。
【００３４】
また、本発明の信号監視装置は、上記の検出回路、自己保持回路、出力回路、リセット回路を個々のユニットに内蔵させ、これらのユニットを適宜組み合わせて使用することができる。この場合、上記各回路のうち、例えば、検出回路およびリセット回路、自己保持回路および出力回路などのように2つの回路を組み合わせてこれを１つのユニットに内蔵させたり、さらに上記４つの回路のうち、３つを任意に選択して１つのユニットに内蔵させてもよい。好ましくは、少なくとも自己保持回路と出力回路とを１つのユニット内に内蔵させるのがよい。
【００３５】
図３は、そのようなユニット化された本発明の信号監視装置の実施形態の一例を示す図である。本実施形態の装置は、説明の便宜上、図２に示す信号監視回路を含んでいるものとし、回路自体の構成や動作の説明については省略する。また、図中、細線の枠がそれぞれのユニットを示している。さらに、点線で示した枠内の各接点は、実際には、その右肩に記載したユニット内に含まれていることを示している。したがって、各ユニット間では、リレーが内蔵されたユニットの接点出力を他のユニットに引き出すための連絡線が必要となる。
【００３６】
図３において、本発明の装置は、５つのユニット（１０１）〜（１０５）を積み重ね自在に構成された重層構造を有する。このうち、ユニット（１０１）は、検出回路（Ｃ）を内蔵し、同ユニットから電源入力線１３，１４および信号入力線１１，１２が引き出されている。また、ユニット（１０２）は、リセット回路（Ｄ）を内蔵し、ユニット（１０３）〜（１０５）は、自己保持回路（Ａ１）、（Ａ２）、（Ａ３）および出力回路（Ｂ１）、（Ｂ２）、（Ｂ３）をそれぞれ内蔵している。また、自己保持回路および出力回路を内蔵するユニットでは、それぞれの筺体のそれぞれ重層される面を除く面にランプなどを固定して、外部からランプの点灯状況を確認できるようにしておくのが好ましい。
【００３７】
各リレーの接点出力を他のユニットの配線途中に直列に接続する場合など、各ユニット間の相互の連絡は従来公知の方法で行うことができ、例えばそれぞれのユニットを重ねる際に当接される面に各連絡線の接点を設けておき、これによりリレーのあるユニットから連絡線によって所定のユニットに各接点出力が連絡されるようにしてもよいし、別途端子ブロックなどを連設し、当該端子を介して各ユニット間の連絡が行われるようにしてもよい。
【００３８】
以上説明したように、本発明の信号監視装置は、上記の構成によって事故点の特定が可能となるだけでなく、特に瞬時の動作不良が不定期に発生する場合に当該動作不良が生じる回路に複数接続しておき、所定期間の経過により動作不良が発生した後の本発明の装置の動作回数をチェックすることで、不良箇所の特定が可能となる。
【００３９】
また、本発明の信号監視装置をユニット化して構成されるようにすることで、信号監視回路の組み合わせや増設が容易となり、監視対象を含む電気回路の状況などに応じて適切な回路構成をとることができる。また、ユニット化することで、共用できるユニットの製造個数を少なくすることができ、その分製造コストの削減が可能となる。さらに、本発明の信号監視装置は、電源による制限を受けないため、新規回路との組み合わせも容易である。
【００４０】
なお、出力回路には、図３に示すように表示ランプだけでなく、その他の表示器も使用でき、さらに例えば時間計を接続し、監視対象に電圧変化があった場合に、その時刻を表示させたり、各種通信手段を接続して外部において同様の時刻表示がされるようにすることもできる。また、上記の実施形態では、いずれもリレー接点回路を示すが、例えば無接点リレーやプログラマブルコントローラなどを使用して等価な回路を構成することができる。その場合、必要であれば、直流交流変換器などの機器を併用することができる。
【産業上の利用可能性】
【００４１】
本発明の信号監視回路および信号監視装置は、制御回路などの電気回路において動作不良が発生するような場合に、当該回路内の監視対象に接続して、例えば配線端子の緩みによる接触不良、配線の断線による接触不良、抵抗器その他の付属品の断線による接触不良、リレーの接点不良などを起こす不調箇所の特定などに特に有用である。
【図面の簡単な説明】
【００４２】
【図１】本発明の信号監視回路の実施形態の一例を示す回路図である。
【図２】図１に示す自己保持回路（Ａ）および出力回路（Ｂ）を各３個並列に接続した回路構成図である。
【図３】ユニット化された本発明の信号監視装置の実施形態の一例を示す図である。
【符号の説明】
【００４３】
Ａ    自己保持回路
Ｂ    出力回路
Ｃ    検出回路
Ｄ    リセット回路
１、２、３    キープリレー
１Ｓ、２Ｓ、３Ｓ    セットコイル
１Ｒ，２Ｒ，３Ｒ    リセットコイル
４、６    タイマー
５    動作リレー（コイル）
９    リセット用リレー（コイル）
１０  スイッチ
１１、１２    信号入力線
１３、１４    電源入力線
２１，２２，２３  ランプ
１１１、１２１、１３１、１４１    ヒューズ
（１０１）、（１０２）、（１０３）、（１０４）、（１０５）    ユニット（筺体）
【図１】
0004679378.tif 000002
【図２】
0004679378.tif 000003
【図３】
0004679378.tif 000004